(57)【要約】【課題】電球の取付け及び取外しが簡単にできるプッシュ式レセプタクル（ソケット）を提供する。【解決手段】挟持台座は、軸方向に移動可能な制動管、及びその制動管の底部に連結され、電球キャップの収容口の壁面に当接して移動できる複数本の同じ長さの支え柱より構成され、その支え柱は弾性を有し、その支え柱の本体内側の底部に一つの凸状物を設け、その電球キャップの収容口壁面にその電球キャップの収容口の入口側が挟まるように形成された階段縁を設け、前記電球キャップの端よりその挟持台座をプッシュ操作することにより、その挟持台座がその階段縁の下段位置に位置したときに、その支え柱の底部の凸状物が階段縁表面に沿って内面に移動し、その電球キャップ表面に設けられている溝ねじ内部を挟んで電球を挟持して固定し、逆に移動して電球を解放する。【選択図】      図２
2005285711.tif 000002
【特許請求の範囲】
【請求項１】
電線の一端に接続されて、電球キャップ表面の円周に溝ねじをつけた電球の取付に使用される電球キャップの収容口を有する外殻、及びその電球キャップの収容口内部に設けられる第一導電片、第二導電片、一つの軸方向に移動可能な挟持台座及びその挟持台座を上・下段の位置で挟むことのできるプッシュ挟み機構より構成されるプッシュ式レセプタクルであって、
前記挟持台座は、軸方向に移動可能な制動管、及びその制動管の底部に連結され、前記電球キャップの収容口の壁面に当接して移動できる複数本の同じ長さの支え柱より構成され、その支え柱は弾性を有し、その支え柱の本体内側の底部に一つの凸状物を設け、その電球キャップの収容口壁面にその電球キャップの収容口の入口側が挟まるように形成された階段縁を設け、前記電球キャップの端よりその挟持台座をプッシュ操作することにより、その挟持台座がその階段縁の下段位置に位置したときに、その支え柱の底部の凸状物が階段縁表面に沿って内面に移動し、その電球キャップ表面に設けられている溝ねじ内部を挟んで前記電球をレセプタクル内に挟持して固定し、その挟持台座がその階段縁の上段位置に位置したときに、その支え柱の底部の凸状物を引上げて元の位置に戻し、その電球キャップ表面に設けられている溝ねじよりその支え柱の底部の凸状物が解放されて電球を取外すことのできる、プッシュ式による電球の取付け及び取外しを行うことができることを特徴としたプッシュ式レセプタクル。
【請求項２】
請求項１に記載のプッシュ式レセプタクルにおいて、第一導電片及び第二導電片は弾性シートからなり、その第一導電片の底部は屈折して制動管の底部に設けられ、その第二導電片底部は屈伸して電球キャップの収容口の電球キャップの外周に接触可能な構造であることを特徴とするプッシュ式レセプタクル。
【請求項３】
請求項１又は２に記載のプッシュ式レセプタクルにおいて、電球キャップの収容口の壁面に、支え柱の上下移動を制限し、挟持台座が階段縁の下段位置に挟まれたときの底部における支持の働きを付与するガイドレールが突出して設けられていることを特徴とするプッシュ式レセプタクル。
【請求項４】
請求項１〜３のいずれかに記載のプッシュ式レセプタクルにおいて、挟持台座に設けられた複数本の支え柱は、長さの異なる長短の配置であり、電球キャップの収容口の内壁面の階段縁は、これら複数本の長さの異なる支え柱の底部が同時に内面へ寄れる高さに形成されていることを特徴とするプッシュ式レセプタクル。
【請求項５】
請求項１〜４のいずれかに記載のプッシュ式レセプタクルにおいて、外殻の外周面には、螺旋のねじが設けられていることを特徴とするプッシュ式レセプタクル。
【発明の詳細な説明】
【技術分野】
【０００１】
本発明は、プッシュ式レセプタクル、いわゆる電球を取付けるためのソケットに係り、特に、ノック式でワンタッチで電球を取付けたり、あるいは電球を取外すことのできるようにしたものに関する。
【０００２】
本発明の概要は、次のとおりである。すなわち、本発明に係るプッシュ式レセプタクルは、電線の一端に接続された電球キャップの収容口（収容溝）を有する外殻、及びその電球キャップの収容口の内部に設けた第一導電片、第二導電片、一つの軸方向に移動可能な挟持台座、及びその挟持台座をその上に取付け、下段の位置に設けたプッシュ挟み機構より構成されている。そして、その挟持台座には、電球キャップの収容口の壁面に当接して移動する弾性の支え柱を複数本を設け、かつ、各支え柱の内側底部には一つの凸状物を設け、上記外殻の電球キャップの収容口の壁面には、一つの階段縁が形成されている。電球キャップ端より挟持台座に対してプッシュ操作が行われて、挟持台座の下段位置に支え柱が挟まれたとき、その支え柱の凸状物は階段縁表面の内側に当接して電球キャップの溝ねじにはまって電球を固定し、支え柱が階段縁の広いところへ位置したときは、その支え柱の凸状物は元の位置となり、電球キャップを開放する。これにより、プッシュ式による電球の取付け及び取外しが達成される。
【背景技術】
【０００３】
一般に知られているタングステン電球、蛍光灯式等の省エネ電球などの照明電球は、電球の足部を露出させ、その表面にらせん状溝型ねじを有する金属製の電球キャップ、いわゆる口金が取付けられていて、このらせん状溝型ねじを螺合させることにより電球をレセプタクル（ソケット）に固定できるように構成されている。一方、従来のレセプタクル構造は、一つの電気絶縁性の外殻の内部に電源と接続された導電材質のねじ状台座が設けられていて、電球と螺合される組合わせで使用されるように構成されている。
【特許文献１】特になし。
【発明の開示】
【発明が解決しようとする課題】
【０００４】
しかしながら、従来の螺合式レセプタクルは、長期にわたる使用経験から、下記の欠点が存在していることが分っている。
【０００５】
電球の取替作業に手間及び時間が係り、特に、電球のレセプタクル（ソケット）への取付け又は取外しは、いずれも電球の握り及び離す動作の繰返しで、電球を３，４回転回さなければならないという作業上の欠点がある。
【０００６】
電球をレセプタクルから取外すときは、利用者は、電球キャップ端がらせん状台座から離れるタイミングが分らないまま、手を電球から一旦離し、次いで、支え角度を変えながら電球を旋回する必要がある。このため、電球は、螺合状態から離れたときに電球から手を離すと落としてしまうという精神上のストレスが溜まってしまう。このようなことは、特に容積及び重量の大きい省エネ電球の取替作業で生じ易く、このため、殊に女性の利用者は、今でもごく簡単な電球の取替作業をおそれている。
【０００７】
また、レセプタクルに装着されている電球が外力によりその外殻が割れたときは、電球キャップ端、いわゆる口金のみがレセプタクル内に残されるため、利用者は、鉗子などで電球キャップの周辺を挟みながらこれを取除かなければならないという不便がある。
【０００８】
そこで、本発明は、上記欠点を解決するためになされたものであって、その目的は、電球の取替作業をプッシュ式でワンタッチで行えるようにしたプッシュ式レセプタクルを提供することにある。
【課題を解決するための手段】
【０００９】
本発明に係るプッシュ式レセプタクルは、上記目的を達成するために、電球キャップの収容口を設けた外殻、及びその電球キャップの収容口内部に設けられる第１導電片、第二導電片、一つの軸方向に移動可能な挟持台座及びその一つの挟持台座をその上，下段位置で挟むことのできるプッシュ挟み機構より構成されるもので、その特徴は、前記の挟持台座は、軸方向に移動可能な制動管、及びその制動管の底部に接続して、電球キャップの収容口の壁面に当接して移動し、長さが同一の複数本の支え柱より構成される。この支え柱は、弾性を有しているとともに、その支え柱の本体の内側の底部に一つの凸状物が設けられ、また、外殻の電球キャップの収容口の壁面には、階段縁が形成されている。これにより、電球キャップ端より挟持台座に対してプッシュ操作されると、支え柱が階段縁の下段位置に挟まれたときに、その支え柱の底部の凸状物は階段縁表面より内面に寄って、電球キャップの溝ねじ内部に挟まれて電球をレセプタクルに挟んだ状態で固定する。挟持台座が階段縁の上段の位置に挟まれたとき、支え柱の凸状物を電球キャップの溝ねじから引き離して、電球キャップを電球キャップの収容口からスムーズに引き離すことができる。これにより、プッシュ式による電球の取付け及び取外しを実現することができる。
【００１０】
前記のプッシュ式レセプタクルにおいて、前記第一導電片と第二導電片は、弾性のシートから作られており、これらの底部には、電線がそれぞれ固定されるように構成されている。そして、この第一導電片の底部は、屈折して挟持台座の底部の適切場所に延伸し、また、第二導電片の底部は、電球キャップ外側周辺に接触可能な形に構成されている。このため、電球キャップは、挟持台座により電球キャップの収容口の内部に挟まれると同時に、電気回路の導通状態を実現することができる。
【発明の効果】
【００１１】
本発明の請求項１に記載のプッシュ式レセプタクルは、挟持台座は、軸方向に移動可能な制動管、及びその制動管の底部に連結され、電球キャップの収容口の壁面に当接して移動できる複数本の同じ長さの支え柱より構成され、その支え柱は弾性を有し、その支え柱の本体内側の底部に一つの凸状物を設け、その電球キャップの収容口壁面にその電球キャップの収容口の入口側が挟まるように形成された階段縁を設け、前記電球キャップの端よりその挟持台座をプッシュ操作することにより、その挟持台座がその階段縁の下段位置に位置したときに、その支え柱の底部の凸状物が階段縁表面に沿って内面に移動し、その電球キャップ表面に設けられている溝ねじ内部を挟んで電球をレセプタクル内に挟持して固定し、その挟持台座がその階段縁の上段位置に位置したときに、その支え柱の底部の凸状物を引上げて元の位置に戻し、その電球キャップ表面に設けられている溝ねじよりその支え柱の底部の凸状物が解放されて電球を取外すことのできる、プッシュ式による電球の取付け及び取外しを行うことができるので、いわゆるノック式で、かつ、ワンタッチで電球の取付け及び取外しができる効果が得られる。
本発明の請求項２に記載のプッシュ式レセプタクルは、第一導電片及び第二導電片は弾性シートからなり、その第一導電片の底部は屈折して制動管の底部に設けられ、その第二導電片底部は屈伸して電球キャップの収容口の電球キャップの外周に接触可能な構造であるので、電気的な接続を確実に行うことができる。
本発明の請求項３に記載のプッシュ式レセプタクルは、電球キャップの収容口の壁面に、支え柱の上下移動を制限し、挟持台座が階段縁の下段位置に挟まれたときの底部における支持の働きを付与するガイドレールが突出して設けられているので、支え柱の移動を円滑に行うことができる。
本発明の請求項４に記載のプッシュ式レセプタクルは、挟持台座に設けられた複数本の支え柱は、長さの異なる長短の配置であり、電球キャップの収容口の内壁面の階段縁は、これら複数本の長さの異なる支え柱の底部が同時に内面へ寄れる高さに形成されているので、電球キャップに設けられている溝がらせん溝の場合にも適用することができる。
本発明の請求項５に記載のプッシュ式レセプタクルは、外殻の外周面には、螺旋のねじが設けられているので、ターミナルやランプマスク等のコンポーネントを容易に取付けることができる。
【発明を実施するための最良の形態】
【００１２】
以下、本発明を実施するための最良の形態を図面に基づいて説明する。図１は、本発明に係るプッシュ式レセプタクルの斜視図であり、このプッシュ式レセプタクルの本体１は、電線２の一端に設けられ、そして、この本体１に、電球キャップ３の表面の円周に溝ねじ４を有する電球５が取付けられるように構成されている。
【００１３】
図２は、本発明に係るプッシュ式レセプタクルの分解斜視図であり、電気絶縁材からなる外殻１０、第一導電片３０、第二導電片４０、一つの挟持台座２０、及び一つのプッシュ挟み機構より構成される。この外殻１０は、図１及び図４に示す電球キャップ部３が自由に出入可能な電球キャップの収容口（以下、「収容口」という。）１１を有するケーシングを有し、その収容口１１の開口部側の内側は、開口部側が直径が小さくなる階段縁１２が設けられている。そして、この収容口１１の開口端の壁面には、挟持台座２０の軸方向移動を制限するスリップカラー１３が設けられていて、そのスリップカラー１３の両側の壁面には、一対の電線２，２の挿入孔１４が設けられている。
【００１４】
上記挟持台座２０は、スリップカラー１３内部で上下移動可能な制動管２１及びその制動管２１の底部に連結して収容口１１の壁面に当接して移動する複数本の同じ長さの支え柱２２より構成されている。この支え柱２２には、弾性力が付与されているとともに、支え柱２２の底部内側には、凸状物（突起部）２３が設けられている。この挟持台座２０が上方に位置したときは、各支え柱２２の底部は、収容口１１の壁面の階段縁１２より高く、かつ、各支え柱２２の底部の凸状物２３の間で形成される距離は、電球キャップ３の最大外径よりやや大きくなるように決められている。したがって、電球キャップ３が収容口１１に対してスムーズに出入りでき、このため、挟持台座２０を押し付けることができる。挟持台座２０は、階段縁１２の下段位置に挟まれたとき、各支え柱２２の底部の凸状物２３は、階段縁１２表面に沿って内側に寄せ付けられて挟持力の働きが得られる。
【００１５】
第一及び第二導電片３０，４０は、図２及び図４に示すとおり、弾性を有するシート、すなわち弾性を有する板材からなり、そのシートの頂端は、それぞれ外殻１０の電線２の挿入孔１４の場所に対応して収容口１１内に固定される。この第一導電片３０シートの底部は、屈折して挟持台座２０の制動管３１の底辺に延伸され、また、第二導電片４０シートの底部は、屈伸して収容口１１の電球キャップ３の外周に接触可能に構成されている。  
【００１６】
電球キャップ３は、プッシュ（押圧）により挟持台座２０に当接されると同時に、電源回路の導通状態を形成するように構成されている。さらに、このプッシュ挟み機構は、図２、図５及び図６に示されるとおり、周知のプッシュ式ペン（ノック式ペン）で広く応用されている飛びキー機構により構成されており、挟持台座２０の繰返しのプッシュ操作により、上、下二段位置を繰返す運動が行われるように構成されている。
【００１７】
本発明における実施形態においては、スリップカラー１３の内壁面に縦方向の深溝５０及び浅溝５１が交互に設けられている。そして、挟持台座２０の制動管２１の頂点の外周面には、前述の溝５０，５１の中に上下移動する差し金５２を規制するほか、前述の制動管２１の頂点に回転及び上下運動可能な留め金５３が挿入されている。この留め金５３の頂点の外周面には、複数個の歯形５４が設けられている。留め金５３の頂点とスリップカラー１３の内部頂面の間に一つの復帰スプリング５５が設けられている。
【００１８】
挟持台座２０をプッシュして上昇させる操作により、留め金５３は、復帰スプリング５５を圧縮して前進し、その歯形５４の底辺は、浅溝５１の頂点周縁に挟まれ、再び挟持台座２０をプッシュして上昇させる操作により、留め金５３を前進させ、歯形５４は深溝５２位置に落ち込み、復帰スプリング５５の回復力により、留め金５３により挟持台座２０を圧迫して下方へ移動させる。
【００１９】
上述のプッシュ式レセプタクルは、図５及び図６に示すとおり、電線２の一端に設置され、そして、このプッシュ式レセプタクルに電球５を取付けるときは、電球５のキャップ３端を収容口１１に入れて、挟持台座２０を目一杯プッシュ操作して、電球５が放される。電球５が放されると同時に、その挟持台座２０は、電球キャップ３と一緒に下方に移動し、支え柱２２の底部が内面に圧迫する働きにより、支え柱２２の凸状物２３を階段縁１２表面と電球キャップ溝ねじ４の間に当て、これにより、その電球５がプッシュ式レセプタクルの本体１内に確実に固定される。
【００２０】
電球５を取替えるときは、プッシュ式レセプタクルの本体１内に取付けられた電球５を目一杯プッシュする操作と、挟持台座２０は上方に移動し、支え柱２２の底部の凸状物２３は、階段縁１２より離されて、その自身の弾性により元に戻り、電球５をそのまま取外すことができる。これにより、簡便に電球の取付け、取外しが実現される。
【００２１】
前述のプッシュ式レセプタクルの挟持台座２０は、支え柱２２の底部の凸状物２３により、電球キャップ３の溝ねじ４に対する挟持力を起こさせ、支え柱２２の底部は、収容口１１の壁面に設けられている階段縁１２により内面に圧迫働きを起こさせる。この支え柱２２の長さと電球キャップ３の溝ねじ４の高さ及び形態は対応関係にあり、階段縁１２の高さと支え柱２２の長さも対応関係がある。
【００２２】
図７及び図８に示すとおり、本発明は、各支え柱２２の長さを変え、また、階段縁１２もその長さに対応してその高さを調整することによって、電球キャップ３の表面にらせん状溝型ねじ６を設けた電球７であってもプッシュ式による取付け、取外しが可能となる。すなわち、電球キャップ３の溝ねじは、一般のらせん溝ねじ６の場合、制動管２１の底部に連結された複数本の支え柱２２は、支え柱２２の凸状物２３がらせん溝ねじ６に当てる長さに決められ、また、階段縁１２は、挟持台座２０が下方に位置したとき、各支え柱２２の底部の凸状物２３を内面に圧迫して、らせん溝ねじ６内を圧迫することができる。このように、電球キャップ３の表面にらせん状溝型ねじ６を設けた電球７においても、プッシュ操作により取付け、取外しを実現することができる。
【００２３】
上述の図２、図３及び図６に示す本発明に係るプッシュ式レセプタクルは、収容口１１の壁面に支え柱２２の上下の移動を制限し、挟持台座２０が下方に位置したときの底部の支持働きを行うガイドレール２４を設けて、挟持台座２０の上下移動するときの安定性と挟持位置の安定性を実現することができる。図７及び図８に示すプッシュ式レセプタクルは、本発明の外殻１０の外周面に螺旋のねじ１５を設けている。この螺旋のねじ１５には、シールド電線接続端のターミナル１６を設けたり、または、図示しないランプマスクなどのコンポーネントを螺合して組合わせて使用することができる。
【図面の簡単な説明】
【００２４】
【図１】本発明に係るプッシュ式レセプタクルの斜視図である。
【図２】本発明に係るプッシュ式レセプタクルの分解斜視図である。
【図３】本発明に係るプッシュ式レセプタクルの組合せ状態の構造断面図である。
【図４】本発明に係るプッシュ式レセプタクルの電路導通の概略図である。
【図５】本発明に係るプッシュ式レセプタクルの実施状態の構造概略図である。
【図６】本発明に係るプッシュ式レセプタクルの実施状態の構造概略図である。
【図７】本発明を一般のらせん状噛み合わせ式電球での実施状況を示す構造概略図である。
【図８】本発明を一般のらせん状噛み合わせ式電球に応用したときの実施状態の構造概略図である。
【符号の説明】
【００２５】
１  本体
２  電線
３  電球キャップ
４  溝ねじ
５  電球
１０  外殻
１１  収容口（電球キャップの収容口）
１３  スリップカラー
１５  ねじ
２０  挟持台座
２１  制動管
２２  支え柱
２３  凸状物（突起部）
３０  第一導電片
４０  第二導電片
５０  深溝
５１  浅溝
５２  差し金
５３  留め金
５４  歯形
５５  スプリング
【図１】
2005285711.tif 000003
【図２】
2005285711.tif 000004
【図３】
2005285711.tif 000005
【図４】
2005285711.tif 000006
【図５】
2005285711.tif 000007
【図６】
2005285711.tif 000008
【図７】
2005285711.tif 000009
【図８】
2005285711.tif 000010